(57)【要約】【課題】  低落差で小水量の水路にも設置することができ、災害時における緊急用の電源を確保することができる低落差傾斜型可搬式水力発電装置を提供すること。【解決手段】    本発明は、半円筒状の底面を備えた長尺状の通水路１０と、当該通水路１０内にて回転可能に軸支される回転軸２０と、当該回転軸２０の外周面に沿って螺旋状に固定された羽根３０と、前記回転軸２０の一端部と連結され、回転軸２０の回転に基づいて発電可能な発電機４０と、前記発電機４０にて発電した微少な電力を蓄電可能な蓄電池５０と、前記蓄電池５０から交流電源６１又は直流電源６２，６３，６４を供給可能な制御回路６０とを備えた低落差傾斜型可搬式水力発電装置１００である。【選択図】図１
2013167185.tif 000002
【特許請求の範囲】
【請求項１】
低落差で小水量の水路に設置しても電源供給可能な低落差傾斜型可搬式水力発電装置であって、
半円筒状の底面を備えた長尺状の通水路と、
当該通水路内にて回転可能に軸支される回転軸と、
当該回転軸の外周面に沿って螺旋状に固定された羽根と、
前記回転軸の一端部と連結され、回転軸の回転に基づいて発電可能な発電機と、
前記発電機にて発電した電力を蓄電可能な蓄電池と、
前記蓄電池から交流電源又は直流電源を供給可能な制御回路と、
を備えていることを特徴とする低落差傾斜型可搬式水力発電装置。
【請求項２】
前記通水路は、長手方向と直交する方向の断面が略Ｕ字状に形成されているものであることを特徴とする請求項１に記載の低落差傾斜型可搬式水力発電装置。
【請求項３】
前記羽根のピッチは、当該羽根の外径の１．２〜１．８倍であり、前記回転軸が低速回転するものであることを特徴とする請求項１又は請求項２に記載の低落差傾斜型可搬式水力発電装置。
【請求項４】
水路と前記通水路との間の隙間を遮蔽する着脱可能な止水板を通水路の一端部に備えていることを特徴とする請求項１ないし請求項３のいずれか一項に記載の低落差傾斜型可搬式水力発電装置。
【請求項５】
前記回転軸は、水中での浮力を生じる筒状であって、その外周面に前記羽根が固定されていることを特徴とする請求項１ないし請求項４のいずれか一項に記載の低落差傾斜型可搬式水力発電装置。
【請求項６】
前記回転軸は、中空円筒状であって、その直径が、前記通水路の半円筒状の底面の直径の１／２〜１／３の大きさであることを特徴とする請求項１ないし請求項５のいずれか一項に記載の低落差傾斜型可搬式水力発電装置。
【請求項７】
前記回転軸は、手動にて回転駆動できるように、クランクレバーなどの操作手段を連結可能となっていることを特徴とする請求項１ないし請求項６のいずれか一項に記載の低落差傾斜型可搬式水力発電装置。
【請求項８】
水路に設置される前記通水路の傾斜角度は、１５度〜３０度の範囲内であることを特徴とする請求項１ないし請求項７のいずれか一項に記載の低落差傾斜型可搬式水力発電装置。
【請求項９】
通水路の傾斜角度を確認するための水準器を備えていることを特徴とする請求項１ないし請求項８のいずれか一項に記載の低落差傾斜型可搬式水力発電装置。
【請求項１０】
前記制御回路は、前記蓄電池の電圧が所定の値を超えた場合に、前記発電機から前記蓄電池への電力の供給を停止するものであることを特徴とする請求項１ないし請求項９のいずれか一項に記載の低落差傾斜型可搬式水力発電装置。
【請求項１１】
前記制御回路は、ＡＣコンセントへの交流電力に加え、シガーソケット又はＵＳＢコネクターへの直流電力を供給可能なものであることを特徴とする請求項１ないし請求項１０のいずれか一項に記載の低落差傾斜型可搬式水力発電装置。
【請求項１２】
軽量で移動が自由であって、非常時における電源確保を可能とすることができるものであることを特徴とする請求項１ないし請求項１１のいずれか一項に記載の低落差傾斜型可搬式水力発電装置。
【発明の詳細な説明】
【技術分野】
【０００１】
本発明は、低落差で小水量の水路に設置しても安定した電源を供給可能な低落差傾斜型可搬式水力発電装置に関するものである。
【０００２】
さらに、本発明は、耐久性に優れ、維持管理が容易である低落差傾斜型可搬式水力発電装置に関するものである。
【背景技術】
【０００３】
従来、小水量にても発電可能な水力発電装置としては、円筒の内側に螺旋状板を密着して取り付けて円筒本体を回転させるようにしたもの（特許文献１）や、排水を利用して水車又はスクリューを回転させるようにしたもの（特許文献２〜４）が提案されている。
【０００４】
また、発電機に接続される蓄電式電源装置としては、複数の電源から入力可能な電源入力部を有し、ＡＣ出力及びＵＳＢ出力を備えたものが提案されている（特許文献５）。
【先行技術文献】
【特許文献】
【０００５】
【特許文献１】特開２０１１−７４８０８号公報
【特許文献２】特開平８−２３７９９７号公報
【特許文献３】実用新案登録第３１４２０７７号公報
【特許文献４】特開２００９−２２１８８２号公報
【特許文献５】実用新案登録第３１７１１１１号公報
【発明の概要】
【発明が解決しようとする課題】
【０００６】
ところが、従来の水力発電装置においては、使用できる設置場所が限定されたり、一度設置されると設置場所を変更するのに手間がかかるという課題があった。
【０００７】
さらに、従来の水力発電装置においては、例えば、傾斜角度が１５〜３０度程度であって、水深が２０ｍｍ、水量が１５リッター／秒程度しかない低落差で小水量の水路に設置しても、実用的な電源を供給することはできないという課題があった。
【０００８】
そこで、本発明は、上記の課題を解決し、対応できる水路の条件が緩く、設置場所の変更も容易であって、微少な電力に基づいて災害時における緊急用の安定した電源を幅広く確保することもできる低落差傾斜型可搬式水力発電装置を提供することを目的とするものである。
【０００９】
さらに、本発明は、耐久性に優れ、維持管理が容易である低落差傾斜型可搬式水力発電装置を提供することを目的とするものである。
また、本発明は、水を得られない場合であっても、手動にて電力を供給できる低落差傾斜型可搬式水力発電装置を提供することを目的とするものである。
【課題を解決するための手段】
【００１０】
本発明は、「低落差で小水量の水路に設置しても電源供給可能な低落差傾斜型可搬式水力発電装置であって、半円筒状の底面を備えた長尺状の通水路と、当該通水路内にて回転可能に軸支される回転軸と、当該回転軸の外周面に沿って螺旋状に固定された羽根と、前記回転軸の一端部と連結され、回転軸の回転に基づいて発電可能な発電機と、前記発電機にて発電した電力を蓄電可能な蓄電池と、前記蓄電池から交流電源又は直流電源を供給可能な制御回路と、を備えている低落差傾斜型可搬式水力発電装置を最も主要な特徴とするものである。
【００１１】
本発明の低落差傾斜型可搬式水力発電装置において、前記通水路は、長手方向と直交する方向の断面が略Ｕ字状に形成されていてもよい。
また、本発明の低落差傾斜型可搬式水力発電装置において、前記羽根のピッチは、当該羽根の外径の１．２〜１．８倍であり、前記回転軸が低速回転するものであることが好適である。
【００１２】
本発明の低落差傾斜型可搬式水力発電装置は、水路と前記通水路との間の隙間を遮蔽する着脱可能な止水板を通水路の一端部に備えているものであってもよい。
また、本発明の低落差傾斜型可搬式水力発電装置において、前記回転軸は、水中での浮力を生じる筒状であって、その外周面に前記羽根が固定されていてもよい。
さらに、前記回転軸は、中空円筒状であって、その直径が、前記通水路の半円筒状の底面の直径の１／２〜１／３の大きさであることが好適である。
【００１３】
本発明の低落差傾斜型可搬式水力発電装置において、前記回転軸は、手動にて回転駆動できるように、クランクレバーなどの操作手段を連結可能となっていてもよい。
また、本発明の低落差傾斜型可搬式水力発電装置において、水路に設置される前記通水路の傾斜角度は、１５度〜３０度の範囲内であることが好ましい。
さらに、本発明の低落差傾斜型可搬式水力発電装置は、通水路の傾斜角度を確認するための水準器を備えていてもよい。
【００１４】
本発明の低落差傾斜型可搬式水力発電装置において、前記制御回路は、前記蓄電池の電圧が所定の値を超えた場合に、前記発電機から前記蓄電池への電力の供給を停止するものであることが好ましい。
また、前記制御回路は、ＡＣコンセントへの交流電力に加え、シガーソケット又はＵＳＢコネクターへの直流電力を供給可能なものであることが好ましい。
【００１５】
本発明の低落差傾斜型可搬式水力発電装置は、軽量で移動が自由であって、非常時における電源確保を可能とすることができるものであることが好ましい。
なお、本明細書中において、水路とは、コンクリート製の側溝から構成される水路に限らず、自然河川、小川、田畑への導水路なども含むものである。
【発明の効果】
【００１６】
本発明の低落差傾斜型可搬式水力発電装置は、対応できる水路の条件が緩く、軽量なものとすることが可能であり、設置場所の変更も容易であるため、本発明は、微少な電力に基づいて災害時における緊急用の安定した電源を幅広く確保することもできる低落差傾斜型可搬式水力発電装置を提供することができる。
【００１７】
さらに、本発明の低落差傾斜型可搬式水力発電装置は、回転軸が水中での浮力を生じる筒状又は中空円筒状であることにより、回転軸と羽根からなる水車の剛性が高められ、かつ、軸受や発電機に対する負荷が軽減されるため、耐久性に優れ、維持管理が容易であるばかりか、発電効率を高めることもできる。
【００１８】
また、本発明の低落差傾斜型可搬式水力発電装置は、前記回転軸にクランクレバーなどの手動操作手段を連結可能とすることで、水を得られない場合であっても、手動にて電力を供給することができる。
【００１９】
さらに、本発明の低落差傾斜型可搬式水力発電装置の制御回路は、前記蓄電池の電圧が所定の値を超えた場合に、前記発電機から前記蓄電池への電力の供給を停止するものであることにより、安全な連続的運用が可能である。
また、前記制御回路は、ＡＣコンセントへの交流電力に加え、シガーソケット又はＵＳＢコネクターへの直流電力を供給可能なものであることにより、災害時においてＡＣ１００ｖの電源を必要とする照明機器、携帯電話、パソコンなどに加え、各種のＵＳＢ機器、電気カミソリなどの利用を可能とすることができる。
【図面の簡単な説明】
【００２０】
【図１】本発明を具体化した低落差傾斜型可搬式水力発電装置及びその制御ボックスを示す図である。
【図２】本発明を具体化した低落差傾斜型可搬式水力発電装置を示し、（Ａ）は発電装置の内部構造などを示す側面図、（Ｂ）は発電装置の上流側の外面を示す図、（Ｃ）は発電装置の下流側の外面を示す図である。
【図３】本発明を具体化した低落差傾斜型可搬式水力発電装置の回転軸を示し、（Ａ）は断面図、（Ｂ）は他の実施例の回転軸の一部を切り欠いて示す断面図である。
【図４】本発明を具体化した低落差傾斜型可搬式水力発電装置の制御ブッロク図である。
【図５】本発明を具体化した低落差傾斜型可搬式水力発電装置が水路に設置された状態における発電装置の上流側を示す図である。
【図６】本発明を具体化した低落差傾斜型可搬式水力発電装置が水路に設置された状態における水と発電装置内部の様子などを示す側面図である。
【図７】本発明を具体化した低落差傾斜型可搬式水力発電装置の水車による飲み込み可能な水量と羽根のピッチとの関係を示すグラフ図である。
【発明を実施するための形態】
【００２１】
以下、本発明の低落差で小水量の水路に設置しても電源供給可能な低落差傾斜型可搬式水力発電装置の一実施形態について、図面に従ってさらに詳しく説明する。
本発明を具体化した一実施形態の低落差傾斜型可搬式水力発電装置１００は、半円筒状の底面を備えた長尺状の通水路１０と、当該通水路１０内にて回転可能に軸支される回転軸２０と、当該回転軸２０の外周面に沿って螺旋状に固定された羽根３０と、前記回転軸２０の一端部と連結され当該回転軸２０の回転に基づいて発電可能な発電機４０と、前記発電機４０にて発電した微少な電力を蓄電可能な蓄電池５０と、前記蓄電池５０から交流電源を供給可能な制御回路６０と、を備えている。
【００２２】
前記通水路１０は、長手方向に延びる両側上部が平板部１１となっており、通水路１０の長手方向と直交する方向の断面が略Ｕ字状となっている。
従って、長手方向と直交する方向の断面が略Ｕ字状となっている側溝などの水路Ｇに配置した場合に、平板部１１を水路Ｇの内面に当接させることで、低落差傾斜型可搬式水力発電装置１００を水路Ｇ内に安定的に設置することを簡単に行うことができる。
【００２３】
さらに、前記通水路１０の上流側となる一端部には、逆凸字状の鋼板１２が通水路１０上部の平板部１１間に架設されるように固定されており、当該鋼板１２の下方が水路Ｇを流れる水の導入部となっている。
そして、この鋼板１２の中央下部には軸受１３が固定されている。
【００２４】
また、前記通水路１０の下流側となる他端部には、略長方形状の鋼板１４が通水路１０上部の平板部１１間に架設されるように固定されており、当該鋼板１４の下方が通水路１０からの水の排出部となっている。
そして、この鋼板１４の略中央部には、軸挿通孔１５が透設されている。
従って、前記通水路１０は、両端部に固定された鋼板１２，１４によって全体の剛性が高められており、装置の耐久性が向上するばかりか、装置全体の変形及び振動を軽減して発電効率の低下を防いでいる。
さらに、この鋼板１４には、屋外用の三相同期発電機４０の変速機４１が固定されている。
【００２５】
前記通水路１０の平板部１１には、蓄電池５０、制御回路６０、ＡＣコンセント６１、シガーソケット６２、ＵＳＢコネクター６３、ＤＣ１２Ｖ端子６４、電源スイッチ６５、インバーター電源スイッチ６６、充電中表示ランプ６７及び放電中表示ランプ６８などを収納する制御ボックス１６が固定されている。
さらに、前記制御ボックス１６内には、水準器１７が設置されており、この水準器１７は、前記通水路１０の傾斜角度が１５度となった場合に、気泡が中央部に位置するようになっており、低落差傾斜型可搬式水力発電装置１００が好適に作動する設置状態を容易に確認することができるようになっている。
従って、かかる水準器１７を備えた低落差傾斜型可搬式水力発電装置１００は、様々な場所へ持ち込んで設置するという使用態様に適したものとなっている。
【００２６】
前記回転軸２０は、大径の中空円筒状部２１と、当該中空円筒状部２１の両端部に溶接された円盤状鋼板２２と、当該円盤状鋼板２２の中心に溶接された小径の軸部２３，２４とから構成されている。
この回転軸２０の中空円筒状部２１の直径は、前記通水路１０の半円筒状の底面の直径の１／２〜１／３の大きさであることが好ましい。
さらに、前記円盤状鋼板２２は、回転軸２０に水中で浮力が生じるように、前記中空円筒状部２１を密閉状態とするように前記中空円筒状部２１に対して溶接されている。
【００２７】
前記回転軸２０は、その中空円筒状部２１の外周面に前記羽根３０が４枚螺旋状に固定されることで、スクリュー式の水車Ｓを構成している。
そして、前記回転軸２０の一方の（上流側の）軸部２３は、前記軸受１３にて軸支され、他方の（下流側の）軸部２４は、前記軸挿通孔１５を通過した後、発電機４０の変速機４１に嵌挿されるようになっている。
この変速機４１は、水車Ｓの軸部２４の回転を直接受けてギヤによって変速するものを採用することで、ベルトを使用する変速機構を採用するよりも故障し難く、また、維持管理が容易であり、万一、発電機４０又は変速機４１が故障した際にもそれらを一体的に交換することで簡単に修理することができる。
【００２８】
前記回転軸２０を上記のとおりに構成することにより、１）回転軸２０の剛性を高めて発電効率を高めることができる、２）中空円筒状部２１によって生じる浮力によって前記軸受１３及び前記発電機４０又は変速機４１に対する負荷を軽減してこれらの耐久性を高めることができる、３）通水路１０に流れる水量の多少にかかわらず発電効率を高めることができる、４）円環状の鋼材を切り欠いて両端部を引き延ばすことで製造される羽根３０の変形量を抑えて羽根３０内部のストレス及び羽根３０と中空円筒状部２１との間のストレスを低減させて耐久性を高めることができる、５）回転軸２０及び羽根３０の回転時における慣性重量が高まり回転軸２０及び羽根３０から構成される水車Ｓの安定的な回転に寄与することができるという効果を奏する。
【００２９】
また、前記発電機４０は、前記変速機４１が下側となるように鋼板１４に対して固定されているため、前記発電機４０のコイルや電気回路などが回転軸２０の上方に配置されるようになっており、前記発電機４０が冠水することによる発電機４０の故障を防止できるようになっている。
【００３０】
本実施形態の前記制御回路６０は、前記蓄電池５０の電圧が所定の値（例えば１５Ｖ）を超えた場合に、前記発電機４０から前記蓄電池５０への電力の供給を停止して蓄電池５０の保護と、発電機４０及び水車Ｓへの負荷を低減するようになっている。
さらに、前記制御回路６０は、ＡＣコンセント６１への交流電力（１００Ｖ）に加え、シガーソケット６２、ＵＳＢコネクター６３及びＤＣ１２Ｖ端子６４への直流電力（１２Ｖ又は５Ｖ）を一定時間安定して供給可能となっている。
【実施例１】
【００３１】
次に、上記実施形態をさらに具体化した実施例１について、以下、説明する。
本実施例１の低落差傾斜型可搬式水力発電装置１００は、半円筒状の底面を備えた長尺状の通水路１０、平板部１１、鋼板１２，１４、回転軸２０、中空円筒状部２１、円盤状鋼板２２、軸部２３，２４、羽根３０などがＳＳ４００又はＳＵＳ３０４といった金属から構成されており、剛性及び耐久性に優れたものとなっている。
また、本実施例１の低落差傾斜型可搬式水力発電装置１００は、全体の重量が４０ｋｇ程度であって、大人２人で持ち運び移動させることが容易となっている。
【００３２】
本実施例１の中空円筒状部２１の直径は１００ｍｍ、前記通水路１０の半円筒状の底面の直径は２５０ｍｍ、羽根３０の外径は通水路１０の製造（製缶）における製作限度（隙間が２〜３ｍｍ）を考慮した最大の大きさである２４５ｍｍ、羽根３０のピッチＰは４００ｍｍ、羽根３０の両端までの長さは８００ｍｍとなっている。
上記により、通水路１０と水車Ｓとの間の隙間を抜ける水の量をできる限り少なくして発電効率を高めている。
また、前記変速機４１のギヤ比は１：１０であり、軸部２４が１回転すると、発電機４０が１０回転するようになっている。
【００３３】
前記羽根３０のピッチＰは、比較的長いものとなっており、傾斜角度が１５〜３０度程度（落差が２０ｃｍ程度）であって、水深が２０ｍｍ、水量が１５リッター／秒程度しかない低落差で小水量の水路Ｇに設置した場合にも水車Ｓが回転可能となっている。
具体的には、上記条件下での発電時の水車Ｓの回転数は２０〜３０回転／分、発電機４０の回転数は、２００〜３００回転／分、発電機４０による出力３Ｗ程度が可能である。
【００３４】
また、蓄電池５０の電圧が１５Ｖ以上となって制御回路６０により発電が停止された場合など、発電機４０に負荷が加わっていない場合には、水車Ｓの回転数は、５０回転／分程度となる。
そして、１２Ｖ９Ａｈの完全密封型の蓄電池５０を使用する本実施例においては、８時間程度の充電により、１０Ｗの使用電力で４時間程度の連続使用が可能となる。
【００３５】
なお、本実施例において使用している発電機４０は、動作する最大の回転数が１５００〜１８００回転程度のものを採用しており、低回転域でのみ発電機４０が動作するようにしているため、発電機４０の長寿命化を図り、低落差傾斜型可搬式水力発電装置１００の維持管理を容易としている。
【００３６】
本実施例の低落差傾斜型可搬式水力発電装置１００は、コンクリート製の側溝からなる水路Ｇと前記通水路１０との間の隙間を遮蔽する着脱可能な止水板１８を通水路１０の上流側の一端部に備えている。
従って、図６に示すように、水深が２０ｍｍ程度の水路Ｇであって、傾斜角度θが１５度未満の水路Ｇであっても、発電装置１００の通水路１０の傾斜角度を簡単に１５度以上とすることができ、低落差傾斜型可搬式水力発電装置１００を設置して通水路１０内に効率よく水Ｗを導入することができるようになっている。
また、本実施例の低落差傾斜型可搬式水力発電装置１００は、安全を考慮して前記通水路１０の上面を覆う長方形状のカバー１９が平板部１１の上端に固定されている。
【００３７】
なお、本実施例における発電装置１００の羽根３０のピッチＰは４００ｍｍとなっているが、これは、図７に示すように、上記の使用条件下において水車Ｓが飲み込み可能な水量と、羽根３０のピッチとの関係を考慮して選定されたものであり、本実施例の低落差傾斜型可搬式水力発電装置１００においては、羽根３０のピッチとして、３００ｍｍ〜４００ｍｍ程度が好適である。
即ち、通常の螺旋形状の羽根のピッチは、羽根径と同等程度であるが、本実施例の水車Ｓは、羽根３０のピッチを大きく（羽根３０の径の１．５倍程度）とり、水の飲み込み量を大きくし、低速で回転させるようにしている。
このように、本発明においては、低落差の低水量であっても電力を得られるように、また、発電機４０などの耐久性を向上させるために、羽根３０のピッチＰを羽根３０の径の１．２〜１．８倍程度（より好ましくは１．４〜１．６倍程度）としている。
【００３８】
さらに、本実施例における発電装置１００の水車Ｓの空気中での重量は、１５．６ｋｇであり、回転軸２０の中空円筒状部２１の上端まで水没するという条件での水車Ｓの水中での重量は、１５．６−６．３＝９．３ｋｇとなる。
即ち、中空円筒状部２１によって最大６．３ｋｇの浮力が得られるため、軸受１３及び変速機４１などへの負担が軽減され、発電効率の向上及び耐久性の向上が期待できるようになっている。
【００３９】
本発明は上記実施例に限定されるものではなく、本発明の趣旨を逸脱しない範囲で前記低落差傾斜型可搬式水力発電装置１００の各部の形状、寸法、材質、設置方法などを適宜変更したり、供給できる電源の電圧又はコネクターなどを変更して実施することも可能である。
本発明の発電装置１００は、低トルクにて水車Ｓを回転させて発電できるため、水を得られない場合においては、例えば、図３（Ｂ）に示すように、回転軸２０の軸部２４の外端部に凹溝又はねじ穴などの連結部２４ａを設け、当該連結部２４ａと係合する連結部２５ａを備えたクランクレバー２５によって発電機４０を手動で回転させることができるようにして実施してもよい。
【００４０】
さらに、回転軸２０の中空円筒状部２１内に軽量な発泡樹脂を収納し、漏水の場合にも回転軸２０の浮力を維持できるようにして実施してもよい。回転軸２０の外形を多角柱状にして実施することも可能である。
また、水車Ｓを構成する羽根３０の枚数を３枚としたり、羽根３０のピッチを変更したり、通水路１０の上流側の鋼板１２に発電機４０を固定するようにして実施してもよい。
【００４１】
さらに、本発明の低落差傾斜型可搬式水力発電装置１００は、側溝のような水路に設置されるものに限らず、小川などに設置してもよく、特に傾斜の緩やかな小川などに設置する場合には、小川などを部分的に堰き止めて水位を上げた場所に設置してもよい。
また、導水管又は水道などから供給される水を利用して発電する場合には、本発明の低落差傾斜型可搬式水力発電装置１００を傾斜した状態にて固定する架台を通水路１０などに取り付け、その通水路１０内に水を流すことでも本発明の低落差傾斜型可搬式水力発電装置１００を使用することができる。
【産業上の利用可能性】
【００４２】
本発明は、低落差で小水量の水路や小川などに設置しても電源供給可能な低落差傾斜型可搬式水力発電装置として産業上幅広く利用することができ、災害時の非常用電源供給装置として、獣害対策の電柵用電源として、又は、外灯用電源などとして好適に利用することができる。
【符号の説明】
【００４３】
１０  通水路
１１  平板部
１２  鋼板
１３  軸受
１４  鋼板（発電機側）
１５  軸挿通孔
１６  制御ボックス
１７  水準器
１８  止水板
１９  カバー
２０  回転軸
２１  中空円筒状部
２２  円盤状鋼板
２３  軸部
２４  軸部（発電機側）
２４ａ  連結部
２５  クランクレバー（手動操作手段）
２５ａ  連結部
３０  羽根
４０  発電機
４１  変速機
５０  蓄電池（シール型バッテリー）
６０  制御回路
６１  ＡＣコンセント（交流電源）
６２  シガーソケット（直流電源）
６３  ＵＳＢコネクター（直流電源）
６４  ＤＣ１２Ｖ端子（ターミナル）
６５  電源スイッチ
６６  インバーター電源スイッチ
６７  充電中表示ランプ
６８  放電中表示ランプ
１００  低落差傾斜型可搬式水力発電装置
Ｇ  水路
Ｐ  ピッチ
Ｓ  水車
Ｗ  水
θ  傾斜角度
【図１】
2013167185.tif 000003
【図２】
2013167185.tif 000004
【図３】
2013167185.tif 000005
【図４】
2013167185.tif 000006
【図５】
2013167185.tif 000007
【図６】
2013167185.tif 000008
【図７】
2013167185.tif 000009